(57)【要約】【課題】左右非対称のヘッドボードなどのベッド構成部材を、勝手違いのものを二種類用意しないで済むようにする。【解決手段】ベッド１のボトム３側の構成部材４に対しボルト止めされて、ベッド１のヘッドボード２’又はフットボード２”として機能する構成部材２である。ベッド１を左右に区分する仮想の中心線ｘを挟んだ左側の構造と右側の構造とを異ならせていると共に、その一面側と他面側とにそれぞれ、前記ボルト５のネジ付けられるナット部２０を備えている。【選択図】図１
2010273769.tif 000002
【特許請求の範囲】
【請求項１】
ベッドのボトム側の構成部材に対しボルト止めされて、ベッドのヘッドボード又はフットボードとして機能する構成部材であって、
ベッドを左右に区分する仮想の中心線を挟んだ左側の構造と右側の構造とを異ならせていると共に、
その一面側と他面側とにそれぞれ、前記ボルトのネジ付けられるナット部を備えていることを特徴とするベッド構成部材。
【請求項２】
ベッド構成部材はその一面側の構成材と他面側の構成材との間に収納空間等となる空間を備えた箱状であることを特徴とする請求項１に記載のベッド構成部材。
【請求項３】
請求項１又は請求項２に記載のベッド構成部材を含んでなるベッド。
【発明の詳細な説明】
【技術分野】
【０００１】
この発明は、ベッドのボトム側の構成部材に対しボルト止めされてベッドのヘッドボード又はフットボードとして機能するベッド構成部材、及びこれを利用してなるベッドの改良に関する。
【背景技術】
【０００２】
ベッドには、ヘッドボードとフットボードを有する形式のもの、ヘッドボードのみを有する形式のものがある。かかるヘッドボード、フットボードはボトム側の構成部材と連結されてベッドの構造体を構成する。
【０００３】
こうしたヘッドボード、フットボードに収納部や照明器具、電気機器用のコンセントなどを設けて一定の機能を持たせる場合がある。このようにした場合、ヘッドボードなどの構造やデザインを左右非対称とせざるを得ない場合も少なくない。また、意識的に、かかる構造やデザインを左右非対称とさせる場合もある。
【０００４】
しかるに、このようにヘッドボード、フットボードを左右非対称とさせると、ボトム側との連結に方向性を生じさせてしまう。このため例えば、右側に収納部を備えさせたヘッドボードは、設置状態においてベッドの右側に壁が位置されるような状況ではこのベッドの構成部材として利用し難くなる。こうしたことから、この種の左右非対称のヘッドボード、フットボードを含んで構成されるベッドにあっては、勝手違いの二種類のヘッドボード、フットボードを用意しておく必要があった。
【発明の概要】
【発明が解決しようとする課題】
【０００５】
この発明が解決しようとする主たる問題点は、この種の左右非対称のヘッドボードなどのベッド構成部材を、勝手違いのものを二種類用意しないで済むようにする点にある。
【課題を解決するための手段】
【０００６】
前記課題を達成するために、この発明にあっては、ベッド構成部材を、ベッドのボトム側の構成部材に対しボルト止めされて、ベッドのヘッドボード又はフットボードとして機能する構成部材であって、
ベッドを左右に区分する仮想の中心線を挟んだ左側の構造と右側の構造とを異ならせていると共に、
その一面側と他面側とにそれぞれ、前記ボルトのネジ付けられるナット部を備えているものとした。
【０００７】
典型的には、かかるベッド構成部材はその一面側の構成材と他面側の構成材との間に収納空間等となる空間を備えた箱状を呈する。
【０００８】
また、この発明にあっては、ベッドを、前記ベッド構成部材を含んでなるものとした。
【０００９】
かかるベッド構成部材は、前記中心線を挟んだ左右の構造を異ならせているが、その一面側と他面側とにそれぞれナット部を備えていることから、いずれの側をベッドのボトム側に向けた状態でもこのボトム側にボルトによって連結させることができる。これにより、単一のベッド構成部材により、ヘッドボード及びフットボードの双方又はいずれか一方の機能部分のレイアウトなどを異ならせたベッドを容易かつ適切に構成させることができる。例えば、ベッドの前記中心線を挟んだ右側に間接照明効果が生じる箇所が必要とされる場合には、この右側に間接照明効果が生じる箇所が位置される向きでベッド構成部材をボトム側と連結させれば良く、この間接照明効果が生じる箇所がベッドの左側に必要とされる場合には、ベッド構成部材を表裏逆にしてこれをボトム側と連結させれば良い。
【発明の効果】
【００１０】
この発明によれば、ベッド構成部材は、表裏どちらの側においてもボトム側に連結できることから、単一のベッド構成部材をもってヘッドボードやフットボードにおける機能部分のレイアウトを異ならせる二種類のベッドを構成させることができる。また、かかるベッド構成部材を含んでなるベッドにあっては、左右非対称のヘッドボードなどのベッド構成部材を勝手違いの二種類用意しておく必要がなく商品管理が容易となるばかりか、設置現場の状況に合わせて最適な向きでボトム側にヘッドボードなどを備えさせることができる。
【図面の簡単な説明】
【００１１】
【図１】図１は第一例にかかるベッドの斜視構成図である。
【図２】図２は同ベッドの分解斜視構成図である。
【図３】図３は第一例にかかるベッドのベッド構成部材の縦断面構成図である。
【図４】図４は図３におけるＡ−Ａ線断面図である。
【図５】図５は図４の要部拡大断面図である。
【図６】図６は図５に示される箇所の水平断面図である。
【図７】図７は第二例にかかるベッドの斜視構成図である。
【図８】図８は同ベッドの分解斜視構成図である。
【図９】図９は第二例にかかるベッドのベッド構成部材の縦断面構成図である。
【図１０】図１０は図９におけるＢ−Ｂ線断面図である。
【図１１】図１１は図１０の要部拡大断面図である。
【図１２】図１２は図１１に示される箇所の水平断面図である。
【発明を実施するための形態】
【００１２】
以下、図１〜図１２に基づいて、この発明の典型的な実施の形態について、説明する。
【００１３】
この実施の形態にかかるベッド構成部材２は、ベッド１のボトム３側の構成部材４に対しボルト止めされてベッド１のヘッドボード２’又はフットボード２”として機能するものである。二つのかかるベッド構成部材２、２の間にボトム３が配されるようにすることで、ヘッドボード２’とフットボード２”の双方を備えたベッド１が構成される。（図１、図７）図示の例では、このヘッドボード２’とフットボード２”の双方を前記ベッド構成部材２により構成させているが、このいずれか一方のみをかかるベッド構成部材２により構成させてベッド１を構成させた場合も本発明の実施の形態に含まれる。前記ベッド構成部材２をヘッドボード２’とし、フットボード２”を有さないベッド１も本発明の実施の形態に含まれる。この場合には、ボトム３側を構成する左右のサイドフレーム４０、４０（サイドレールなどとも称される。）のフット側の端部間にはフットフレーム（図示は省略する。）が取り付けられることとなる。
【００１４】
図示の例では、ボトム３は、左右のサイドフレーム４０、４０上に床板４１を張り込むことで構成されている。この床板４１上にマットレスが載置される。図示の例では、左右のサイドフレーム４０、４０は、そのヘッド側の端部をそれぞれヘッドボード２’を構成するベッド構成部材２にボルト止めされると共に、そのフット側の端部をそれぞれフットボード２”を構成するベッド構成部材２にボルト止めされて、これらのベッド構成部材２と一緒に枠状の構造体を構成するようになっている。図示の例とは別に、左右のサイドフレーム４０、４０の間には、必要に応じてセンターフレームが配されることもある。この場合には、典型的には、このセンターフレームも二つのベッド構成部材２、２に対しそれぞれボルト止めされる。図示の例では、サイドフレーム４０の端部にはそれぞれ、Ｌ字状の断面を通する連結金具４０ａが備えられる。この連結金具４０ａは、Ｌ字の一方側を前記構造体の内側に位置される内面に止め付けてＬ字の他方側をこの内面に直交する向きに突き出させている。このＬ字の他方側にはボルト５の頭部は通し抜けさせないがボルト５の軸部は通し抜けさせる貫通穴４０ｂが形成されており、図示の例では、前記構造体の内方側からこの連結金具４０ａの貫通穴４０ｂに入れ込ませたボルト５の軸部を前記ベッド構成部材２の後述のナット部２０にネジ付けることで、サイドフレーム４０の端部とかかるベッド構成部材２とを連結させるようにしている。
【００１５】
かかるベッド構成部材２は、ベッド１を左右に区分する仮想の中心線ｘを挟んだ左側の構造と右側の構造とを異ならせている。すなわち、かかるベッド構成部材２は、ベッド１の幅方向の中間位置を通るベッド１の長さ方向に沿った仮想の中心線ｘを挟んだ左側の構造と右側の構造とを非対称としている。
【００１６】
図示の例では、かかるベッド構成部材２は、その一面側の構成材２１と他面側の構成材２１との間に収納空間等となる空間２２を備えた箱状を呈している。すなわち、図示の例では、ベッド１のボトム３の全幅に亘る左右寸法を備えた二枚の板状の構成材２１、２１の一方によってベッド構成部材２の一面側を形成し、かつ、かかる二枚の板状の構成材２１、２１の他方によってベッド構成部材２の他面側を形成させている。二枚の構成材２１、２１の内面間に前記空間２２が形成されている。図示の例では、二枚の構成材２１、２１における上下方向に沿った縁部間に側板２３が張り込まれて、前記箱状のベッド構成部材２が形成されている。
【００１７】
図１〜図６に示される第一例にあっては、ベッド構成部材２は、上面を開放させてなると共に、前記中心線ｘ位置において二枚の構成材２１の内面間に亘る縦向きの仕切り板２０１により前記空間２２を左右に二分させている。また、この仕切り板２０１と側板２３との間には、かかる空間２２内において、前記中心線ｘを挟んだ左右においてそれぞれベッド構成部材２の開放部２０２との間に間隔を開けて棚板２０３が架設されている。図示の例では、図１における右側の棚板２０３は左側の棚板２０３よりも下方に位置され、これによりベッド構成部材２は前記中心線ｘを挟んだ左右の構造を異ならせている。また、この第一例にあっては、二枚の構成材２１、２１の上縁部にはそれぞれ、その内面に左右方向に亘る溝２０４が形成されていると共に、ベッド構成部材２はその開放部２０２にこの溝２０４に縁部をはめ込んで組み合わされた蓋板２０５を備えている。蓋板２０５は、ベッド構成部材２の左右寸法の略半分の長さを備えていると共に、前記溝２０４に案内されて左右方向にスライド移動可能になっている。すなわち、図示の例では、ベッド構成部材２の開放部２０２は、その半分をかかる蓋板２０５により塞がれるようになっている。また、図示の例では、かかる蓋板２０５には、左右方向に長く続くスロット２０５ａが形成されており、このスロット２０５ａを利用してこの蓋板２０５とその下方に位置される棚板２０３との間の空間２２がマガジンホルダーとして利用できるようになっている。なお、この第一例を示す図中符号２０６で示すのは電気機器用のコンセントである。
【００１８】
また、図７〜図１２に示される第二例にあっては、ベッド構成部材２は、前記中心線ｘ位置において二枚の構成材２１、２１の内面間に亘る縦向きの仕切り板２０７により前記空間２２を左右に二分させている。この第二例にあっては、この仕切り板２０７と図７における右側の側板２３との間には、かかる空間２２内において、前記構成材２１の上端との間に間隔を開けて棚板２０８が架設されていると共に、この棚板２０８上には照明器具２０９が設置されている。また、ベッド構成部材２の前記中心線ｘを挟んだ右側では、二枚の構成材２１、２１の上端間はタペガラス２１０で塞がれており、照明器具２０９による間接照明効果が生じるようになっている。また、ベッド構成部材２の前記中心線ｘを挟んだ左側では、二枚の構成材２１、２１の上端間は天板２１２で塞がれていると共に、前記仕切り板２０７との間に左右方向に間隔を開けて縦向きの追加仕切り板２１１が備えられている。この第二例では、この左側の側板２３は二枚の構成材２１、２１の下端からその上下方向略中程の位置までの間に張り込まれており、この側板２３の上端において二枚の構成材２１、２１間は側方において開放されている。また、この左側の側板２３の上端と前記追加仕切り板２１１との間に棚板２０８が架設されている。また、この第二例では、かかる棚板２０８上に天板２１２との間の側方開放部２１３を覆う大きさの蓋板２１４が備えられている。この蓋板２１４は、その左右方向に沿った両側部に長穴状部２１４ａを備えている。二枚の構成材２１、２１の左端の上隅には、この長穴状部２１４ａに入り込んだピン２１５が備えられていると共に、二枚の構成材２１、２１の天板２１２直下の上縁部にはそれぞれ蓋板２１４に対する支持部２１６が形成されている。そして、この第二例にあっては、かかる蓋板２１４の長穴状部２１４ａの一方にピン２１５を位置づけさせた状態で支持部２１６により前記天板２１２下において蓋板２１４を水平に支持した第一態様から、かかる長穴状部２１４ａの他方にピン２１５が位置されるまで蓋板２１４を左側にスライドさせた後にこの長穴状部２１４ａの他方にピン２１５が位置された状態においてこのピン２１５を中心に蓋板２１４を９０度回動させることで、このピン２１５により吊り下げ状に支持される蓋板２１４によって前記側方開放部２１３を閉塞させた第二態様への移行ができるようになっている。（図９）これによりこの第二例にかかるベッド構成部材２も前記中心線ｘを挟んだ左右の構造を異ならせている。図中符号２１７で示すのは、前記天板２１２に備えられた電気機器用のコンセントである。
【００１９】
そして、この実施の形態にあっては、かかる各構成例のいずれにおいても、ベッド構成部材２の一面側と他面側とにおいてそれぞれ、前記ボルト５のネジ付けられるナット部２０が備えられている。すなわち、ベッド構成部材２の一面側には、その下部側において、前記中心線ｘを挟んだ右側に右側のサイドフレーム４０とのボルト止めのためのボルト５のネジ付けられるナット部２０が形成されていると共に、前記中心線ｘを挟んだ左側に左側のサイドフレーム４０とのボルト止めのためのボルト５のネジ付けられるナット部２０が形成されている。また、ベッド構成部材２の他面側には、一面側のナット部２０に対し背中合わせとなる位置にそれぞれ、ナット部２０が形成されている。（図５、図１１）
【００２０】
図示の例では、かかるナット部２０は、前記二枚の構成材２１、２１においてそれぞれのその右側と左側とに、上下に間隔を開けて二箇所づつ形成されている。各ナット部２０は、かかる構成材２１に貫通穴２０ａを形成させると共に、この貫通穴２０ａの穴軸にナットの中心軸を沿わせるようにしてナット体２０ｂを埋め込むことで形成されている。図示の例では、ナット体２０ｂは、外周部に抜け止めの雄ネジ部２０ｃを備えており、前記貫通穴２０ａにネジ込むことで、前記構成材２１内に強固に埋め込まれるようになっている。
【００２１】
この実施の形態にかかるベッド構成部材２は、前記中心線ｘを挟んだ左右の構造を異ならせているが、その一面側と他面側とにそれぞれナット部２０を備えていることから、いずれの側をベッド１のボトム３側に向けた状態でもこのボトム３側にボルト５に連結させることができる。これにより、単一のベッド構成部材２により、ヘッドボード２’及びフットボード２”の双方又はいずれか一方の機能部分のレイアウトなどを異ならせたベッド１を容易かつ適切に構成させることができる。例えば、前記第二例を基に説明すれば、間接照明効果が生じる箇所がベッド１の右側に必要とされる場合には、図７に示される向きでベッド構成部材２をボトム３側と連結させれば良く、この間接照明効果が生じる箇所がベッド１の左側に必要とされる場合には、ベッド構成部材２を表裏逆にしてこれをボトム３側と連結させれば良い。
【符号の説明】
【００２２】
１  ベッド
２  構成部材
２’  ヘッドボード
２”  フットボード
２０  ナット部
３  ボトム
４  構成部材
５  ボルト
【図１】
2010273769.tif 000003
【図２】
2010273769.tif 000004
【図３】
2010273769.tif 000005
【図４】
2010273769.tif 000006
【図５】
2010273769.tif 000007
【図６】
2010273769.tif 000008
【図７】
2010273769.tif 000009
【図８】
2010273769.tif 000010
【図９】
2010273769.tif 000011
【図１０】
2010273769.tif 000012
【図１１】
2010273769.tif 000013
【図１２】
2010273769.tif 000014